(57)【要約】【課題】簡単に組み付けることができるスライド部材の取付構造を提供する。【課題手段】押圧ボタン１０は、そのバネ軸１８にコイルバネ１４を嵌めた後、ボタン本体１６を穴２４に嵌めるとともに、コイルバネ１４の先端をバネ座２６に係止させることにより、筐体１２に組み付けられる。バネ軸１８には先端に爪部２２が設けられており、この爪部２２によってバネ軸１８に嵌められたコイルバネ１４がバネ軸１８に仮固定される。したがって、組み付け作業中にコイルバネ１８がバネ軸１８から外れることがなく、簡単に押圧ボタン１０を筐体に組み付けることができる。【選択図】      図２
2009070748.tif 000002
【特許請求の範囲】
【請求項１】
一方向に付勢されながら筐体にスライド自在に支持されるスライド部材の取付構造であって、
前記筐体に設けられ、前記スライド部材をスライド自在に支持する支持部材と、
前記筐体に設けられ、前記スライド部材の可動範囲を規制する規制部材と、
前記スライド部材のスライド方向に沿って設けられたバネ軸と、
前記バネ軸に嵌められるコイルバネと、
前記バネ軸の基端部に設けられ、該バネ軸に嵌められたコイルバネの一端が係止される第１のバネ座と、
前記筐体に設けられ、前記バネ軸に嵌められたコイルバネの他端が係止される第２のバネ座と、
前記バネ軸の先端側に設けられ、該バネ軸に嵌められたコイルバネの他端が係止されて、該コイルバネを前記バネ軸に仮固定する爪部と、
からなることを特徴とするスライド部材の取付構造。
【請求項２】
前記支持部材は、
前記スライド部材が嵌められることにより、該スライド部材をスライド自在に支持するガイド溝と、
前記ガイド溝に対向して設けられ、該ガイド溝に嵌められたスライド部材に当接されて、前記スライド部材を直動ガイドするガイド部材と、
からなることを特徴とする請求項１に記載のスライド部材の取付構造。
【請求項３】
前記第２のバネ座がＵ字状に形成されることを特徴とする請求項１又は２に記載のスライド部材の取付構造。
【請求項４】
前記スライド部材を前記筐体に取り付けたときに前記コイルバネにかかるチャージ量と、前記コイルバネを前記バネ軸に嵌めて、他端を前記爪部に係止させたときに前記コイルバネにかかるチャージ量とが、ほぼ等しくなるように、前記爪部が前記バネ軸に設けられることを特徴とする請求項１〜３のいずれか一に記載のスライド部材の取付構造。
【請求項５】
前記スライド部材を前記筐体に取り付けたときに前記コイルバネにかかるチャージ量の方が、前記コイルバネを前記バネ軸に嵌めて、他端を前記爪部に係止させたときに前記コイルバネにかかるチャージ量よりも大きくなるように、前記爪部が前記バネ軸に設けられることを特徴とする請求項１〜３のいずれか一に記載のスライド部材の取付構造。
【請求項６】
前記爪部の後端から前記バネ軸先端の最も離れた位置までの長さが、前記コイルバネの内径よりも長く形成されることを特徴とする請求項１〜５のいずれか一に記載のスライド部材の取付構造。
【請求項７】
前記爪部の後端に逆鉤が形成されることを特徴とする請求項１〜６のいずれか一に記載のスライド部材の取付構造。
【請求項８】
前記ガイド溝と、前記規制部材と、前記第２のバネ座とが、前記筐体に一体成形されるとともに、前記バネ軸と、前記第１のバネ座と、前記爪部とが、前記スライド部材に一体成形されることを特徴とする請求項２〜７のいずれか一に記載のスライド部材の取付構造。
【発明の詳細な説明】
【技術分野】
【０００１】
本発明はスライド部材の取付構造に係り、特にスライドスイッチや押下スイッチ、ロック爪のように、一方向に付勢されながら筐体にスライド自在に支持されるスライド部材の取付構造に関する。
【背景技術】
【０００２】
スライドスイッチや押下スイッチ、ロック爪のように、操作力を解除すると、元の状態に復帰するスライド部材は、一般にバネによって一方向に付勢されながら筐体にスライド自在に取り付けられる。そして、その付勢力を付与するバネは、スライド部材と、そのスライド部材を支持する支持部材との間に介在させて取り付けられる（たとえば、特許文献１〜７参照）。
【特許文献１】特開２００６−２０９９７５号公報
【特許文献２】特開平１１−６７００７号公報
【特許文献３】特開２０００−５０１２０号公報
【特許文献４】特開２００６−１７９４６２号公報
【特許文献５】特開平１１−６７００７号公報
【特許文献６】特開平９−３２６２１７号公報
【特許文献７】特開平５−１１２２２号公報
【発明の開示】
【発明が解決しようとする課題】
【０００３】
ところで、この種のスライド部材を筐体に組み付ける場合、バネも同時に組み付けなければならないが、このバネがあることにより、組み付けに大変な手間がかかるという問題があった。たとえば、上記特許文献１では、スライド部材を筐体に組み付ける際、スライド部材に形成された突起部にコイルバネを嵌め、そのコイルバネを指で縮めながら、スライド部材を筐体に組み付けているが、この種の部品は小さいため、縮めていたコイルバネが指から外れやすく、上手く所定の位置に取り付けられないという問題がある。特に狭い場所に組み付けなければならないときは、このような問題が顕著に生じていた。
【０００４】
本発明はこのような事情に鑑みてなされたもので、簡単に組み付けることができるスライド部材の取付構造を提供することを目的とする。
【課題を解決するための手段】
【０００５】
請求項１に係る発明は、前記目的を達成するために、一方向に付勢されながら筐体にスライド自在に支持されるスライド部材の取付構造であって、前記筐体に設けられ、前記スライド部材をスライド自在に支持する支持部材と、前記筐体に設けられ、前記スライド部材の可動範囲を規制する規制部材と、前記スライド部材のスライド方向に沿って設けられたバネ軸と、前記バネ軸に嵌められるコイルバネと、前記バネ軸の基端部に設けられ、該バネ軸に嵌められたコイルバネの一端が係止される第１のバネ座と、前記筐体に設けられ、前記バネ軸に嵌められたコイルバネの他端が係止される第２のバネ座と、前記バネ軸の先端側に設けられ、該バネ軸に嵌められたコイルバネの他端が係止されて、該コイルバネを前記バネ軸に仮固定する爪部と、からなることを特徴とするスライド部材の取付構造を提供する。
【０００６】
請求項１に係る発明によれば、スライド部材は、バネ軸にコイルバネを嵌め、そのコイルバネの先端を押し縮めた状態で支持部材に支持させることにより、コイルバネとともに筐体に組み付けられる。組み付け時に縮めていたコイルバネを組み付け後に開放すると、コイルバネは、その先端（他端）が筐体に設けられた第２のバネ座に係止され、これにより、スライド部材に付勢力が付与される。ここで、組み付け時に縮めていたコイルバネが、組み付け作業中に指から外れて開放されたとしても、コイルバネは、その先端が、バネ軸の先端に設けられた爪部に係止されるため、バネ軸から外れることはない。また、バネ軸に嵌められたコイルバネは、その先端が爪部に係止されて、仮固定されるため、組み付け作業中以外にもバネ軸から外れることない。これにより、たとえば、スライド部材が小さい部品として形成されている場合や、狭い場所に組み付けなければならないような場合であっても、コイルバネを含めスライド部材を簡単に組み付けられる。
【０００７】
請求項２に係る発明は、前記目的を達成するために、前記支持部材は、前記スライド部材が嵌められることにより、該スライド部材をスライド自在に支持するガイド溝と、前記ガイド溝に対向して設けられ、該ガイド溝に嵌められたスライド部材に当接されて、前記スライド部材を直動ガイドするガイド部材と、からなることを特徴とする請求項１に記載のスライド部材の取付構造を提供する。
【０００８】
請求項２に係る発明によれば、支持部材が、ガイド溝とガイド部材とで構成される。これにより、たとえば組み付け時は、スライド部材をガイド溝に嵌め、その後、ガイド部材をスライド部材に当接させるだけで済むので、組み付けの作業性をより向上させることができる。
【０００９】
請求項３に係る発明は、前記目的を達成するために、前記第２のバネ座がＵ字状に形成されることを特徴とする請求項１又は２に記載のスライド部材の取付構造を提供する。
【００１０】
請求項３に係る発明によれば、第２のバネ座がＵ字状に形成される。これにより、コイルバネの他端を第２のバネ座に係合させる場合は、バネ軸をＵ字状に形成されたバネ座に嵌めるだけで済むので、組み付けの作業性をより向上させることができる。
【００１１】
請求項４に係る発明は、前記目的を達成するために、前記スライド部材を前記筐体に取り付けたときに前記コイルバネにかかるチャージ量と、前記コイルバネを前記バネ軸に嵌めて、他端を前記爪部に係止させたときに前記コイルバネにかかるチャージ量とが、ほぼ等しくなるように、前記爪部が前記バネ軸に設けられることを特徴とする請求項１〜３のいずれか一に記載のスライド部材の取付構造を提供する。
【００１２】
請求項４に係る発明によれば、スライド部材を筐体に取り付けたときにコイルバネにかかるチャージ量と、コイルバネをバネ軸に嵌めて、他端を爪部に係止させたときにコイルバネにかかるチャージ量とが、ほぼ等しくなるように、爪部がバネ軸に設けられる。これにより、組み付け時に必要とされるコイルバネの移動量（コイルバネを縮める量）を小さくすることができ、組み付けの作業性をより向上させることができる。
【００１３】
請求項５に係る発明は、前記目的を達成するために、前記スライド部材を前記筐体に取り付けたときに前記コイルバネにかかるチャージ量の方が、前記コイルバネを前記バネ軸に嵌めて、他端を前記爪部に係止させたときに前記コイルバネにかかるチャージ量よりも大きくなるように、前記爪部が前記バネ軸に設けられることを特徴とする請求項１〜３のいずれか一に記載のスライド部材の取付構造を提供する。
【００１４】
請求項５に係る発明によれば、スライド部材を筐体に取り付けたときにコイルバネにかかるチャージ量の方が、コイルバネをバネ軸に嵌めて、他端を爪部に係止させたときにコイルバネにかかるチャージ量よりも大きくなるように、爪部がバネ軸に設けられる。これにより、組み付け後にスライド部材に付与する付勢力（初期負荷：プリチャージ）を確実に確保することができる。
【００１５】
請求項６に係る発明は、前記目的を達成するために、前記爪部の後端から前記バネ軸先端の最も離れた位置までの長さが、前記コイルバネの内径よりも長く形成されることを特徴とする請求項１〜５のいずれか一に記載のスライド部材の取付構造を提供する。
【００１６】
請求項６に係る発明によれば、爪部の後端からバネ軸先端の最も離れた位置までの長さが、コイルバネの内径よりも長く形成される。これにより、コイルバネをバネ軸から更に外れにくくすることができる。
【００１７】
請求項７に係る発明は、前記目的を達成するために、前記爪部の後端に逆鉤が形成されることを特徴とする請求項１〜６のいずれか一に記載のスライド部材の取付構造を提供する。
【００１８】
請求項７に係る発明によれば、爪部の後端に逆鉤が形成される。これにより、コイルバネをバネ軸から更に外れにくくすることができる。
【００１９】
請求項８に係る発明は、前記目的を達成するために、前記ガイド溝と、前記規制部材と、前記第２のバネ座とが、前記筐体に一体成形されるとともに、前記バネ軸と、前記第１のバネ座と、前記爪部とが、前記スライド部材に一体成形されることを特徴とする請求項２〜７のいずれか一に記載のスライド部材の取付構造を提供する。
【００２０】
請求項８に係る発明によれば、ガイド溝と規制部材と第２のバネ座が筐体に一体成形され、バネ軸と第１のバネ座と爪部がスライド部材に一体成形される。これにより、部品点数を削減することができる。
【発明の効果】
【００２１】
本発明によれば、コイルバネを含め、スライド部材を筐体に簡単に組み付けることができる。
【発明を実施するための最良の形態】
【００２２】
以下、添付図面を参照して本発明に係るスライド部材の取付構造を実施するための最良の形態について説明する。
【００２３】
図１は本発明が適用された押圧ボタンの一実施形態の概略構成を示す側面部分断面図である。なお、同図（ａ）は非操作状態、同図（ｂ）は操作状態を示している。
【００２４】
同図に示すように、押圧ボタン１０は、機器の筐体１２から出没自在に設けられており、コイルバネ１４の作用によって、操作力（押圧力）を解除すると、元の状態に復帰するように構成されている。
【００２５】
この押圧ボタン１０は、ボタン本体１６と、そのボタン本体１６の基端部から垂直に延びるバネ軸１８とで構成されている。
【００２６】
ボタン本体１６は、円柱状に形成されており、その基端部外周にはフランジ２０が一体成形されている。
【００２７】
バネ軸１８は、角柱状に形成されており、その先端部には爪部２２が一体成形されている。このバネ軸１８は、ボタン本体１６に一体成形されており、ボタン本体１６の基端部同軸上に連結されている。
【００２８】
コイルバネ１４は、このバネ軸１８に嵌められて、押圧ボタン１０に取り付けられる。したがって、コイルバネ１４は、その内径ｄが、爪部２２を含むバネ軸１８の高さｈよりも若干大きく形成される（図２（ａ）参照）。
【００２９】
なお、ボタン本体１６に形成されたフランジ２０は、このバネ軸１８に嵌められたコイルバネ１４のバネ座（第１のバネ座）として作用する。すなわち、バネ軸１８に嵌められたコイルバネ１４は、このフランジ２０に一端（基端）が係止される。
【００３０】
また、バネ軸１８に形成された爪部２２は、このバネ軸１８に嵌められたコイルバネ１４の抜け止めとして作用する。なお、この点については、後に詳述する。
【００３１】
押圧ボタン１０が取り付けられる筐体１２には、押圧ボタン１０の支持部として、ボタン本体１６が挿通される穴２４が形成されている。押圧ボタン１０は、この穴２４にボタン本体１６が通されることにより、そのボタン本体１６の外周面が穴２４の内周面にガイドされて、軸方向にスライド自在に支持される。
【００３２】
また、筐体１２には、バネ軸１８に嵌められたコイルバネ１４の先端が係止されるバネ座（第２のバネ座）２６が形成されている。このバネ座２６は、Ｕ字状に形成された溝２６Ａを有しており、この溝２６Ａにバネ軸１８を嵌めることにより、そのバネ軸１８に嵌められたコイルバネ１４の先端が端面に係止される。したがって、溝２６Ａは、バネ軸１８とほぼ同じ幅をもって形成される。
【００３３】
また、筐体１２には、前記穴２４によってスライド自在に支持された押圧ボタン１０の押圧方向（退避方向）の移動を規制するためのストッパ２８が形成されている。このストッパ２８は、図１（ｂ）に示すように、押圧方向に移動したバネ軸１８の先端に当接して、押圧ボタン１０の押圧方向の移動を規制する。
【００３４】
なお、押圧ボタン１０の復帰方向（突出方向）への移動の規制は、フランジ２０と穴２４の周縁とで行われ、フランジ２０が穴２４の周縁に当接することにより、押圧ボタン１０の復帰方向（突出方向）への移動が規制される。
【００３５】
次に、上記のように構成された押圧ボタン１０の組み付け方法を図２を参照しながら説明する。
【００３６】
まず、図２（ａ）に示すように、押圧ボタン１０のバネ軸１８にコイルバネ１４を嵌める（コイルバネ１４の内周部に押圧ボタン１０のバネ軸１８を通す）。
【００３７】
バネ軸１８に嵌められたコイルバネ１４は、その一端（基端）がボタン本体１６のフランジ２０に係止されるとともに、他端（先端）が爪部２２に係止される。したがって、コイルバネ１４をバネ軸１８に嵌めると、コイルバネ１４は、バネ軸１８から外れることなく保持される（仮固定される）。
【００３８】
次に、押圧ボタン１０を筐体１２に組み付ける。すなわち、図２（ｃ）に示すように、ボタン本体１６を筐体１２に形成された穴２４に通すとともに、バネ軸１８をバネ座２６の溝２６Ａに嵌める。この際、同図に示すように、コイルバネ１４の先端を指で押して、コイルバネ１４を縮めた状態でボタン本体１６を穴２４に通し、バネ軸１８を溝２６Ａに嵌める。そして、ボタン本体１６が穴２４に通り、バネ軸１８が溝２６Ａに嵌まったところで、コイルバネ１４を開放する。これにより、コイルバネ１４の先端がバネ座２６の端面に当接し、組み付けが完了する。
【００３９】
なお、この組み付け過程でコイルバネ１４から指が滑り、コイルバネ１４が伸張したとしても、伸張したコイルバネ１４は、その先端が爪部２２に係止されるので、バネ軸１８から外れることはない。したがって、組み付け過程でコイルバネ１４から指が滑り、コイルバネ１４が伸張したとしても、容易に縮め直すことができ、簡単に組み付けることができる。
【００４０】
また、コイルバネ１４を縮める前の段階においても、コイルバネ１４は、その先端が爪部２２に係止されるため、バネ軸１８から外れることがなく、容易に組み付け作業を行うことができる。
【００４１】
筐体に組み付けられた押圧ボタン１０は、図１（ａ）に示すように、コイルバネ１４によって復帰方向（突出方向）に付勢され、穴２４から突出した状態で静止する。すなわち、筐体に組み付けられた押圧ボタン１０は、コイルバネ１４によって復帰方向に付勢されるが、フランジ２０が穴２４の周縁に係合することにより、それ以上の移動が規制され、穴２４から所定量突出した状態で静止する。
【００４２】
この状態からコイルバネ１４による付勢力に抗して押圧ボタン１０を押圧すると、図１（ａ）に示すように、押圧ボタン１０は軸方向に沿って移動する。そして、所定量移動したところで、バネ軸１８の先端がストッパ２８に当接して、それ以上の移動が規制される。
【００４３】
また、この押圧力を解除すると、押圧ボタン１０は、コイルバネ１４の復元力で図１（ａ）に示す元の状態に復帰する。
【００４４】
なお、ストッパ２８には、図示しない電気接点が設けられ、この電気接点がバネ軸１８の先端に押圧されることにより、電気信号が出力されるように構成されている。
【００４５】
以上説明したように、本実施の形態の押圧ボタン１０の取付構造によれば、バネ軸１８に爪部２２が設けられていることにより、押圧ボタン１０の組み付け作業を簡単に行うことができる。また、これにより、たとえば、押圧ボタンが小さい部品として形成されている場合や、狭い場所に組み付けなければならないような場合であっても、簡単に筐体に組み付けることができる。
【００４６】
なお、爪部２２は、バネ軸１８に嵌められたコイルバネ１４の抜け止めとして作用することから、次のように構成されることがより好ましい。
【００４７】
すなわち、図３（ａ）に示すように、コイルバネ１４の先端が係合する後端部に逆鉤（かえし）が形成されることが好ましい（後端面が先端に向かって切り込むように傾斜して形成されることが好ましい。）。これにより、バネ軸１８に嵌められたコイルバネ１４の先端を確実に係止でき、コイルバネ１４がバネ軸１８から抜けるのを防止することができる。
【００４８】
なお、爪部２２の先端は、コイルバネ１４を嵌めやすくするため、クサビ状に傾斜して形成することが好ましい。
【００４９】
また、爪部２２は、その後端（根元）からバネ軸１８の先端下部までの長さＬが、コイルバネ１４の内径ｄよりも長く形成されることが好ましい。すなわち、図４（ａ）に示すように、爪部２２の後端からバネ軸１８の先端下部までの長さＬが、コイルバネ１４の内径ｄよりも短いと、コイルバネ１４の先端下部の引っ掛かりがなくなるため、コイルバネ１４に復元力が働いた際、コイルバネ１４の先端がバネ軸１８の先端から抜けやすくなるが、図４（ｂ）に示すように、爪部２２の後端からバネ軸１８の先端下部までの長さＬが、コイルバネ１４の内径ｄよりも長く形成されていると、コイルバネ１４に復元力が働いた場合であっても、コイルバネ１４の先端下部がバネ軸１８の下面に係止されるため、容易に抜けることがない。
【００５０】
なお、爪部は、その後端（根元）からバネ軸先端の最も離れた位置（上記の例では先端下部）までの長さが、少なくともコイルバネの内径よりも長く形成されていれば、上記の効果を得ることができる。すなわち、根元から対角の長さが、少なくともコイルバネの内径よりも長く形成されていれば、上記の効果を得ることができる。
【００５１】
また、本実施の形態では、爪部２２をバネ軸１８の先端部の上面に設置しているが、爪部２２の設置位置は、これに限定されず、たとえば、先端部の下面に設置するようにしてもよい。また、必ずしも先端部に設置する必要はなく、コイルバネ１４に掛けるチャージ量等を考慮して適宜設定することが好ましい。
【００５２】
また、コイルバネ１４は、バネ軸１８に嵌めたとき、静止した状態で保持されるように、所定量縮められた状態で取り付けられるようにすることが好ましい。すなわち、プリチャージされた状態で取り付けられるようにすることが好ましい。したがって、図２（ａ）に示すように、バネ軸１８は、その基端部から爪部２２の後端までの長さＳが、コイルバネ１４の全長Ｖよりも短く形成されることが好ましい。これにより、コイルバネ１４をバネ軸１８に取り付けると、プリチャージされた状態でコイルバネ１４がバネ軸１８に取り付けられる。
【００５３】
ただし、押圧ボタン１０が筐体１２に取り付けられた際、コイルバネ１４の先端が、バネ座２６に係止されるように、バネ軸１８の基端部から爪部２２の後端までの長さＳは、図１（ａ）に示すように、バネ軸１８の基端部からバネ座２６の端面までの長さＸ以上に形成する必要がある。
【００５４】
したがって、バネ軸１８は、その基端部から爪部２２の後端までの長さＳが、押圧ボタン１０を筐体１２に取り付けたときのバネ軸１８の基端部からバネ座２６の端面までの長さＸ以上に形成し、かつ、コイルバネ１４の全長Ｖよりも短く形成する。これにより、コイルバネ１４をバネ軸１８に嵌めた際、コイルバネ１４がプリチャージされるとともに、押圧ボタン１０を筐体１２に取り付けた際、コイルバネ１４がプリチャージされる。
【００５５】
なお、押圧ボタン１０を筐体１２に取り付けたときにコイルバネ１４にかかるチャージ量と、コイルバネ１４をバネ軸に取り付けたときにコイルバネ１４にかかるチャージ量とが、ほぼ等しくなるように設定することにより、押圧ボタン１０を筐体１２に取り付ける際、コイルバネ１４を更に圧縮させる量を少なくすることができ、取り付けの作業性を向上させることができる。
【００５６】
一方、押圧ボタン１０を筐体１２に取り付けたときにコイルバネ１４にかかるチャージ量の方が、コイルバネ１４をバネ軸１８に取り付けたときにコイルバネ１４にかかるチャージ量よりも大きくなるように設定することにより、筐体１２に取り付けられた押圧ボタン１０に確実に初期負荷（突出方向への付勢力）を掛けることができる。
【００５７】
なお、上記の実施の形態では、本発明を押圧ボタンに適用した場合を例に説明したが、本発明の適用は、これに限定されるものではない。この他、スライドスイッチやロック爪等のコイルバネによって一方向に付勢されながら筐体にスライド自在に支持される部材の取付構造すべてに適用することができる。
【実施例】
【００５８】
次に、本発明をカメラに組み込まれたポップアップ式のフラッシュのロック機構に適用した場合について説明する。
【００５９】
図５はポップアップ式のフラッシュが組み込まれたカメラの外観構成を示す斜視図である。
【００６０】
同図に示すように、このカメラ１１０は、カメラボディ１１２に撮影レンズ１１４が組み込まれた一眼レフタイプのデジタルカメラであって、そのカメラボディ１１２の頂部にポップアップ式のフラッシュ１１６を備えている。
【００６１】
フラッシュ１１６は、一対の脚部１１６Ａを有しており、その脚部１１６Ａの先端を図示しない軸に支持されて、一定の角度範囲内で揺動自在に支持されている。すなわち、所定の開位置と閉位置との間を揺動自在に支持されている。
【００６２】
なお、図５はフラッシュ１１６が開位置に位置した状態が示されており、この状態において、フラッシュ１１６は、その発光部１１８が正面に向く。
【００６３】
また、このフラッシュ１１６は、図示しないバネによって開方向に付勢されている。フラッシュ１１６は、閉位置において、ロック機構にロックされ、このロック機構によるロックを解除すると、バネの付勢力によって揺動し、開位置に移動する。
【００６４】
このフラッシュ１１６をロックするロック機構は、カメラボディ１１２から出没自在に設けられたロック爪１２０によってフラッシュ１１６をロックする。すなわち、カメラボディ１１２から突出したロック爪１２０が、フラッシュ１１６に設けられた図示しないロック穴に嵌入されることにより、フラッシュ１１６を閉位置でロックする。
【００６５】
ロック穴に嵌入されたロック爪１２０は、カメラボディ１１２に設けられたロック解除ボタン１２２を押下することにより、カメラボディ１１２内に退避し、これにより、ロック穴からロック爪１２０が抜けて、フラッシュ１１６のロックが解除される。そして、このロック爪１２０によるロックが解除されることにより、フラッシュ１１６がバネの付勢力によって揺動し、開位置に移動する。
【００６６】
図６、図７は、それぞれカメラボディ１１２に組み込まれたロック機構の構成を示す断面斜視図と側面断面図である。
【００６７】
なお、同図はロック爪の組み付け方法を分かりやすくするため、上下を反転させた状態の図が示されている。すなわち、カメラボディ１１２の頂部を下側に向けた時の状態が示されている。
【００６８】
同図に示すように、ロック爪１２０は、スライド部材１２４の一部として形成されており、コイルバネ１２６によって突出方向に付勢されながらカメラボディ１１２に形成された穴１５２から出没自在に設けられている。
【００６９】
図８〜図１１は、それぞれスライド部材１２４の側面図、平面図、正面図、背面図である。
【００７０】
同図に示すように、スライド部材１２４は、全体として板状に形成されており、スライド部材本体１２８と、そのスライド部材本体１２８の先端下部に設けられた先端スライド部１３０と、その先端スライド部１３０の先端部に設けられたロック爪１２０と、先端スライド部１３０の後端部に設けられたバネ座１３２（第１のバネ座）と、バネ座１３２から垂直に延びるバネ軸１３４と、スライド部材本体１２８の基端上部に設けられた押圧部１３６と、スライド部材本体１２８の片側側面に設けられたストッパ１３８とを備えて構成されている。
【００７１】
スライド部材本体１２８は、平たい矩形の棒状に形成されている。先端スライド部１３０は、このスライド部材本体１２８と同じ厚さ（幅）を有する矩形の板状に形成されており、スライド部材本体１２８の先端下部に一体成形されている。
【００７２】
ロック爪１２０は、先端スライド部１３０と同じ厚さを有する三角形の板状に形成されており、先端スライド部１３０の先端部に一体成形されている。
【００７３】
バネ座１３２は、矩形の板状に形成されており、先端スライド部１３０の後端部に一体成形されている。このバネ座１３２は、先端スライド部１３０に対して垂直に配置されるとともに、バネ軸１３４に対しても垂直に配置されている。
【００７４】
バネ軸１３４は、平たい矩形の棒状に形成されており、スライド部材本体１２８に平行に設けられている。このバネ軸１３４は、スライド部材本体１２８よりも薄く形成されており、バネ座１３２に一体成形されている。このバネ軸１３４には、後述するように、コイルバネ１２６が取り付けられる。このため、バネ軸１３４の先端部には、取り付けられたコイルバネ１２６を仮固定するための爪部１４２が一体成形されている。
【００７５】
押圧部１３６は、スライド部材本体１２８と同じ厚さを有する矩形の板状に形成されており、スライド部材本体１２８の基端上部に一体成形されている。この押圧部１３６は、後述するように、スライド部材１２４がカメラボディ１１２に組み付けられた後、カメラボディ１１２に設けられた押圧部材１６０に押されることにより、スライド部材１２４を退避方向（ロック爪１２０が穴１５２内に退避する方向）にスライド移動させる。
【００７６】
ストッパ１３８は、三角形状の突起部として、スライド部材本体１２８の後端部近傍の片側側面に一体成形されている。このストッパ１３８は、後述するように、カメラボディ１１２に組み付けられたスライド部材１２４を退避方向に移動させた際、所定位置でカメラボディ１１２に設けられたガイド溝１５４の先端開口部の縁１５４Ａに当接して、スライド部材１２４の移動を規制する。
【００７７】
コイルバネ１２６は、上記のように、スライド部材１２４に設けられたバネ軸１３４に嵌められて、スライド部材１２４に取り付けられる。
【００７８】
この際、コイルバネ１２６は、プリチャージされた状態でスライド部材１２４に取り付けられる。すなわち、所定量縮められた状態でその基端部がバネ座１３２に係止されるとともに、先端部が爪部１４２に係止されて保持（仮固定）される。
【００７９】
なお、このようにコイルバネ１２６はバネ軸１３４に嵌められるものであるため、その内径は爪部１４２を含むバネ軸１３４の高さよりも若干大きく形成される。
【００８０】
また、爪部１４２は、バネ軸１３４に取り付けられたコイルバネ１２６の抜け止めとして作用することから、上記実施の形態で説明したように、その後端部に逆鉤が形成されるとともに、その後端部から先端部までの長さが、コイルバネ１２６の内径よりも長く形成される。
【００８１】
また、プリチャージされた状態でスライド部材１２４に取り付けられるようにするため、バネ軸１３４は、その基端部から爪部１４２の後端部までの長さがコイルバネ１２６の全長よりも短く形成される。
【００８２】
以上のように構成されたスライド部材１２４は、カメラボディ側に形成された支持部１５０に取り付けることにより、カメラボディにスライド自在に支持され、ロック爪１２０が穴１５２から出没する。
【００８３】
この支持部１５０は、ロック爪１２０が出没する穴１５２と、スライド部材本体１２８の後端部をスライド自在に支持するガイド溝１５４と、コイルバネ１２６の先端が係止されるバネ座１５６（第２のバネ座）とで構成されており、カメラボディ１１２を構成する筐体に一体成形されている。
【００８４】
穴１５２は、ロック爪１２０の幅（厚さ）とほぼ同じ幅を有するスリット状に形成されている。この穴１５２の内周部下面１５２Ａは、スライド部材１２４の先端スライド部１３０の摺動面として作用し、スライド部材１２４は、先端スライド部１３０の下面部１３０Ａが、この穴１５２の内周部下面１５２Ａ上をスライドすることにより、スライド部材１２４が、その長手方向に沿ってスライド移動する。
【００８５】
なお、この穴１５２は、ロック爪１２０の高さよりも大きく形成される一方、先端スライド部１３０を含むスライド部材本体１２８の高さよりも小さく形成される。これにより、スライド部材１２４を突出方向（ロック爪１２０が穴１５２から突出する方向）に移動させると、所定位置でスライド部材本体１２８の先端が穴１５２の上部内壁面１５２Ｂに当接するようになり、スライド部材１２４の突出方向への移動が規制される。
【００８６】
ガイド溝１５４は、スライド部材本体１２８とほぼ同じ幅を有するＵ字状の溝として形成されており、スライド部材１２４のスライド方向に沿って形成されている。
【００８７】
スライド部材１２４は、そのロック爪１２０が穴１５２に挿通されるとともに、そのスライド部材本体１２８の基端部が、このガイド溝１５４に嵌められることにより、長手方向に沿ってスライド自在に支持される。すなわち、その先端スライド部１３０の下面部が穴１５２の内周部下面１５２Ａにガイドされるとともに、そのスライド部材本体１２８の下面部がガイド溝１５４の内壁面にガイドされることにより、その長手方向に沿ってスライド自在に支持される。
【００８８】
なお、スライド部材１２４が支持部１５０に取り付けられた後、カメラボディ１１２には、スライド部材１２４を覆うように板状のカバー１５８が取り付けられる（図６には不図示）。このカバー１５８は、支持部１５０に支持されたスライド部材本体１２８の上面部に当接し、スライド部材１２４がガイド溝１５４から外れるのを防止する。すなわち、スライド部材１２４が、ガイド溝１５４から外れることなく、ガイド溝１５４に沿って直進するように、スライド部材本体１２８の上面部に当接して、スライド部材１２４をガイドする。なお、カバー１５８の取り付けは、カメラボディ１１２にネジ止め等して行われる。
【００８９】
また、このように支持部１５０にスライド自在に支持されたスライド部材１２４は、そのストッパ１３８が、ガイド溝１５４の先端開口部の縁１５４Ａに当接することにより、退避方向への移動が規制される。
【００９０】
バネ座１５６は、スライド部材１２４に取り付けられたコイルバネ１２６の先端を係止する。このバネ座１５６は、Ｕ字状に形成された溝１５６Ａを有しており、この溝１５６Ａに支持部１５０に支持されたスライド部材１２４のバネ軸１３４が嵌められる。そして、そのバネ軸１３４が嵌められることにより、そのバネ軸１３４に取り付けられたコイルバネ１２６の先端が端面１５６Ｂに係止される。
【００９１】
なお、このバネ座１５６は、コイルバネ１２６の先端を係止するため、溝１５６Ａは、バネ軸１３４とほぼ同じ幅をもって形成される。
【００９２】
また、溝１５６Ａの深さは、スライド部材１２４を支持部１５０に支持させた際、バネ軸１３４が嵌入可能な深さをもって形成される（たとえば、溝１５６Ａに嵌入されたバネ軸１３４の下面が、溝１５６Ａの底面に丁度接する深さ、または、多少の隙間が形成される深さに形成される。）。
【００９３】
次に、以上のように構成されたロック機構の組み付け方法について説明する。
【００９４】
まず、コイルバネ１２６をスライド部材１２４のバネ軸１３４に嵌める。バネ軸１３４に嵌められたコイルバネ１２６は、図８に示すように、一端がバネ座１３２に係止されるとともに、他端（先端）が爪部１４２に係止され、所定量縮められた状態、すわなち、プリチャージされた状態でバネ軸１３４に仮固定される。
【００９５】
次に、コイルバネ１２６が取り付けられたスライド部材１２４をカメラボディ１１２に設けられた支持部１５０に取り付ける。すなわち、ロック爪１２０を穴１５２に挿入するとともに、スライド部材本体１２８の基端部をガイド溝１５４に嵌める。これと同時にバネ軸１３４をバネ座１５６の溝１５６Ａに嵌め、コイルバネ１２６の先端をバネ座１５６の端面１５６Ｂに係止させる。このとき、コイルバネ１２６を縮めながらバネ軸１３４をバネ座１５６の溝１５６Ａに嵌める。そして、バネ軸１３４がバネ座１５６の溝１５６Ａに嵌まったところで、コイルバネ１２６を縮めていた力を開放する。これにより、コイルバネ１２６の先端がバネ座１５６の端面１５６Ｂに係止される。
【００９６】
なお、構造的にロック爪１２０を穴１５２に挿入し、スライド部材本体１２８の基端部をガイド溝１５４に嵌めると、同時にバネ軸１３４がバネ座１５６の溝１５６Ａに嵌められる。したがって、作業者は、ロック爪１２０を穴１５２に挿入し、スライド部材本体１２８の基端部をガイド溝１５４に嵌めれば、バネ軸１３４をバネ座１５６の溝１５６Ａに嵌めることができる。
【００９７】
したがって、作業者は、コイルバネ１２６を縮めた状態でロック爪１２０を穴１５２に挿入し、スライド部材本体１２８の基端部がガイド溝１５４に嵌められたところで、コイルバネ１２６を縮めていた力を開放すれば、スライド部材１２４を支持部１５０に支持させつつ、コイルバネ１２６の先端をバネ座１５６の端面１５６Ｂに係止させることができる。
【００９８】
このようにしてスライド部材１２４を支持部１５０に取り付けた後、カバー１５８を取り付けることにより、スライド部材１２４の組み付けが完了する。
【００９９】
組み付けられたスライド部材１２４は、図１２（ａ）に示すように、そのロック爪１２０が穴１５２から突出した状態で保持される。すなわち、コイルバネ１２６が圧縮された状態（プリチャージされた状態）で組み付けられているため、スライド部材１２４は、このコイルバネ１２６によって突出方向に付勢される。突出方向に付勢されたスライド部材１２４は、そのスライド部材１２４の先端部が、穴１５２の上部内壁面１５２Ｂに当接し、これにより、ロック爪１２０が穴１５２から所定量突出した状態で保持される。
【０１００】
一方、この突出したロック爪１２０をコイルバネ１２６による付勢力に抗して穴１５２に押し込むと、スライド部材１２４は退避方向に移動する。そして、図１２（ｂ）に示すように、所定位置まで移動すると、ストッパ１３８が、ガイド溝１５４の先端開口部の縁１５４Ａに当接し、移動が規制される。
【０１０１】
このように、スライド部材１２４は、コイルバネ１２６によって一方向に付勢された状態でスライド自在に支持される。
【０１０２】
なお、ロック爪１２０を退避させる操作は、上述したようにロック解除ボタン１２２を押下することにより行われる。すなわち、ロック解除ボタン１２２を押下すると、図１３に示すように、そのロック解除ボタン１２２に連結された押圧ロッド１６２が押圧部材１６０を押圧し、回転軸１６４を中心に回転する。そして、この回転した押圧部材１６０が、スライド部材１２４の押圧部１３６を押圧し、スライド部材１２４を退避方向に移動させる。
【０１０３】
ここで、このスライド部材１２４の押圧部１３６を押圧する押圧部材１６０は、図１３に示すように、三角形の板状に形成されており、カメラボディ１１２に設けられた回転軸１６４に回動自在に支持されている。
【０１０４】
また、ロック解除ボタン１２２に連結された押圧ロッド１６２は、図示しないバネによって突出方向に付勢された状態でスライド自在に支持されている。したがって、ロック解除ボタン１２２は、押圧力を解除すると、そのバネの弾性復元力によって元の位置に復帰する。
【０１０５】
以上のように構成されたロック機構によれば、フラッシュ１１６は、閉位置において、図示しないロック穴にロック爪１２０が嵌入してロックされる。
【０１０６】
このロック状態からロック解除ボタン１２２を押下すると、そのロック解除ボタン１２２に連結された押圧ロッド１６２が押圧部材１６０を押し、押圧部材１６０を回転させる。そして、その回転する押圧部材１６０に押圧部１３６が押されて、スライド部材１２４が退避方向に移動する。この結果、ロック穴からロック爪１２０が外れ、図示しないバネに付勢されて、フラッシュ１１６が開位置に移動する。
【０１０７】
フラッシュ１１６を閉じるときは、フラッシュ１１６を閉位置に向けて手で押す。この結果、閉位置において、再度ロック爪１２０がロック穴に嵌入し、閉じられた状態でフラッシュ１１６がロックされる。
【０１０８】
以上説明したように、本発明に係るスライド部材の取付構造を適用したフラッシュのロック機構では、スライド部材１２４にコイルバネ１２６を取り付けるためのバネ軸１３４に爪部１４２が設けられているため、組み付け作業中にバネ軸１３４からコイルバネ１２６が外れることがなく、組み付け作業を簡単に行うことができる。
【０１０９】
また、スライド部材１２４を支持部１５０に組み付ける場合もスライド部材１２４を支持部１５０に落とし込むようにして組み付ける構成（ロック爪１２０を穴１５２に挿入しながら、ガイド溝１５４の上からスライド部材本体１２８をガイド溝１５４に嵌めて組み付ける構成）とされているため、簡単に組み付けることができる。
【０１１０】
これにより、たとえば、スライド部材１２４が小さい部品として形成されている場合や、狭い場所に組み付けなければならないような場合であっても、コイルバネを含めスライド部材を簡単に組み付けることができる。
【０１１１】
なお、上記実施の形態で説明したように、爪部１４２は、後端部に逆鉤（かえし）が形成されることが好ましく、また、その後端から先端までの長さが、コイルバネ１２６の内径よりも長く形成されることが好ましい。また、その先端部は、コイルバネ１２６を嵌めやすくするため、クサビ状に形成されることが好ましい。
【０１１２】
また、コイルバネ１２６は、プリチャージされた状態でバネ軸１３４に取り付けられるようにすることが好ましい。
【０１１３】
この場合、スライド部材１２４をカメラボディ１１２に組み付けたときにコイルバネ１２６にかかるチャージ量と、コイルバネ１２６をバネ軸１３４に取り付けたときにコイルバネ１２６にかかるチャージ量とが、ほぼ等しくなるように設定することにより、スライド部材１２４をカメラボディ１１に組み付ける際、コイルバネ１２６を更に圧縮させる量を少なくすることができ、取り付けの作業性を向上させることができる。
【０１１４】
一方、スライド部材１２４をカメラボディ１１２に組み付けたときにコイルバネ１２６にかかるチャージ量の方が、コイルバネ１２６をバネ軸１３４に取り付けたときにコイルバネ１２６にかかるチャージ量よりも大きくなるように設定することにより、カメラボディ１１２に組み付けられたスライド部材１２４に確実に初期負荷（突出方向への付勢力）を掛けることができる。
【０１１５】
なお、上記の実施例では、スライド部材本体に対してロック爪、バネ座、バネ軸、爪部等を一体成形しているが、別部材で構成することもできる。しかしながら、スライド部材本体に対して一体成形することにより、部品点数の削減を図ることができるとともに、組み付け工数も削減でき、効率よくロック機構の組み付けを行うことができる。
【０１１６】
同様に、スライド部材の支持部をカメラボディと別体で構成することもできるが、上記実施例のように、カメラボディに一体成形することにより、部品点数の削減を図ることができるとともに、組み付け工数も削減でき、効率よくロック機構の組み付けを行うことができる。
【図面の簡単な説明】
【０１１７】
【図１】本発明が適用された押圧ボタンの一実施形態の概略構成を示す側面部分断面図
【図２】押圧ボタンの組み付け手順を示す図
【図３】バネ軸の先端部の構成を示す拡大図
【図４】爪部の作用を説明する図
【図５】ポップアップ式のフラッシュが組み込まれたカメラの外観構成を示す斜視図
【図６】カメラボディに組み込まれたロック機構の構成を示す断面斜視図
【図７】カメラボディに組み込まれたロック機構の構成を示す側面断面図
【図８】スライド部材の側面図
【図９】スライド部材の平面図
【図１０】スライド部材の正面図
【図１１】スライド部材の背面図
【図１２】スライド部材の動作を説明する図
【図１３】スライド部材の動作を説明する図
【符号の説明】
【０１１８】
１０…押圧ボタン、１２…筐体、１４…コイルバネ、１６…ボタン本体、１８…バネ軸、２０…フランジ、２２…爪部、２４…穴、２６…バネ座、２６Ａ…溝、２８…ストッパ、１１０…カメラ、１１２…カメラボディ、１１４…撮影レンズ、１１６…フラッシュ、１１６Ａ…脚部、１１８…発光部、１２０…ロック爪、１２２…ロック解除ボタン、１２４…スライド部材、１２６…コイルバネ、１２８…スライド部材本体、１３０…先端スライド部、１３２…バネ座、１３４…バネ軸、１３６…押圧部、１３８…ストッパ、１４２…爪部、１５０…支持部、１５２…穴、１５４…ガイド溝、１５６…バネ座、１５８…カバー、１６０…押圧部材、１６２…押圧ロッド、１６４…回転軸
【図１】
2009070748.tif 000003
【図２】
2009070748.tif 000004
【図３】
2009070748.tif 000005
【図４】
2009070748.tif 000006
【図５】
2009070748.tif 000007
【図６】
2009070748.tif 000008
【図７】
2009070748.tif 000009
【図８】
2009070748.tif 000010
【図９】
2009070748.tif 000011
【図１０】
2009070748.tif 000012
【図１１】
2009070748.tif 000013
【図１２】
2009070748.tif 000014
【図１３】
2009070748.tif 000015